【事件の表示】
　特願２００４−１２２６７７「充電器」拒絶査定不服審判事件〔平成１７年１１月４日出願公開，特開２００５−３１２１１５〕について，次のとおり審決する。
【結　論】
　本件審判の請求は，成り立たない。
【理　由】
１．手続の経緯　
　本願は，平成１６年４月１９日に特許出願されたものであって，平成１９年９月４日付けで拒絶査定がなされ，同年１０月１１日付けで拒絶査定不服審判が請求された。これに対し，当審にて平成２１年６月３日付けで拒絶理由通知を行い，これに応答して同年８月１０日付けで意見書が提出された。
　
２．本願発明
　本願の請求項１に係る発明（以下，「本願発明」という。）は，平成１９年８月６日付けの手続補正書により補正された明細書及び出願当初の図面の記載からみて，特許請求の範囲の請求項１に記載された次の事項により特定されるとおりのものと認める。
　
「外部から供給される電力を，設定された充電条件に従った形態の電力に変換して充電すべき対象バッテリに供給する充電電力供給手段と，
　前記対象バッテリに対応した充電条件に関する充電情報を記憶した充電情報記憶手段と，
　該充電情報記憶手段に記憶されている前記充電情報を読み出す充電情報読出し手段と，
　該充電情報読出し手段によって読み出された前記充電情報に従って前記充電電力供給手段に前記充電条件を設定する制御手段とを具えた充電器であって，
　前記充電電力供給手段，前記充電情報読出し手段および前記制御手段は，充電器本体内に配設され，前記充電情報記憶手段は，前記充電器本体に着脱自在に装着可能な形態に構成されており，
　前記充電情報読出し手段は，前記充電器本体に前記充電情報記憶手段が装着された状態で，該充電器本体が外部電源に接続され，該充電器本体のコネクタに前記対象バッテリが接続されると，前記充電情報を前記充電情報記憶手段から読み出すことを特徴とする充電器」
　
３．引用例
　当審における拒絶の理由に引用した
　　特開平４−２４８３３０号公報（以下，「引用例１」という。）
には，図面とともに次の事項が記載されている。
　
・「【０００１】
【産業上の利用分野】本発明は充電式電池用の充電器に関し，特に充電特性を変更可能な充電器に関する。」
　
・「【０００３】
【発明が解決しようとする課題】このため，種類の異なる複数の充電式電池を充電する場合には，それぞれの充電特性に適合する複数の充電器を準備しなければならないという欠点がある。充電式電池の普及率が伸び，その種類も増加している現状において，常に複数の充電器を備えることは非合理的であり，かつ不経済である。」
　
・「【０００４】
【課題を解決するための手段】本発明の充電器は，ＡＣ電源を変換して充電用電力を供給する電力供給手段と，供給された前記充電用電力により二次電池に対して所定の充電を行う充電制御手段と，予め充電のためのパラメータを記憶すると共に，前記パラメータを選択し，これに基づいて前記充電制御手段の制御を行う制御方式選択手段とを備えて構成されている。」
　
・「【０００６】図１は本発明の一実施例を示す構成図である。図１において，充電器１は電源回路１０，充電制御回路２０および制御方式コントロール回路３０とから構成されている。電源回路１０は，例えば，家庭用のＡＣ電源を変圧および整流して充電用の直流電力に変換する。充電制御回路２０は電源回路１０から供給された直流電力を用いて充電式電池２への充電を行う。そして，制御方式コントロール回路３０は充電制御回路２０が充電式電池２に対して最適な条件で充電するための制御を行う。
【０００７】図２は図１の制御方式コントロール回路３０の詳細を示す構成図である。図２において，制御方式コントロール回路３０はＣＰＵ３１，Ｉ／Ｏポート３２，ＲＡＭ３３およびＲＯＭ３４からなり，ＲＡＭ３３およびＲＯＭ３４には，予め代表的な複数の充電式電池の充電特性のパターンに関するパラメータ（例えば，充電電圧，充電電流および充電時間など）が記憶させてある。そして，ＣＰＵ３１はＩ／Ｏポート３２，ＲＡＭ３３およびＲＯＭ３４を制御すると共に，Ｉ／Ｏポート３２を介し充電制御回路２０に対して指定された充電特性に基づく充電の指示を行なう。また，複数の充電特性のパターンを組み合わせれば，より多くのパターンを作ることも可能である。
【０００８】　更に，特別な充電特性を有する充電式電池に対しては，そのパターンを記憶させた外部ＲＯＭ３４ａを接続することにより対応することも可能である。」
　
・「【００１０】
【発明の効果】以上説明したように，本発明の充電器は，充電式電池の充電特性に適合した充電が可能であるため，種類の異なる充電式電池であっても１つの充電器で対応できるという効果がある。従って，複数の充電器を備える必要もなく合理的，かつ経済的である。」
　
・【図１】には，電源回路１０，充電制御回路２０及び制御方式コントロール回路３０を充電器１内に配設し，外部ＲＯＭ３４ａを充電器１に接続可能に構成することが開示されている。
　
・【図２】には，制御方式コントロール回路３０が，ＣＰＵ３１，ＲＡＭ３３及びＲＯＭ３４並びにＩ／Ｏポート３２から構成されることが開示されている。
　
　これらの記載事項及び図示内容を総合すると，引用例１には以下の発明（以下，「引用発明」という。）が記載されている。
　
「家庭用のＡＣ電源の電力を，指定された充電特性に基づき充電式電池２に供給する電源回路１０及び充電制御回路２０と，
　代表的な複数の充電式電池の充電特性のパターンに関するパラメータ（例えば，充電電圧，充電電流および充電時間など）を記憶したＲＡＭ３３，ＲＯＭ３４及び外部ＲＯＭ３４ａと， 
　該ＲＡＭ３３，ＲＯＭ３４及び外部ＲＯＭ３４ａに記憶されている前記パラメータを選択し，このパラメータに従って前記充電制御回路２０に充電の指示を行うＣＰＵ３１とを具えた充電器１であって， 
　前記電源回路１０及び充電制御回路２０，前記ＣＰＵ３１並びに前記ＲＡＭ３３及びＲＯＭ３４は，充電器１内に配設され，前記外部ＲＯＭ３４ａは，前記充電器１に接続可能に構成されており，
　前記ＣＰＵ３１は，前記ＲＡＭ３３，ＲＯＭ３４及び外部ＲＯＭ３４ａに記憶されている前記複数の充電特性のうち，Ｉ／Ｏポート３２を通じて指定された前記充電特性を読み出す充電器」
　
４．対比
　本願発明と引用発明とを対比すると，
　・後者の「家庭用のＡＣ電源の電力」は前者の「外部から供給される電力」に相当し，
　・後者の「充電式電池２」は前者の「対象バッテリ」に相当するから，後者の「指定された充電特性に基づき充電式電池２に供給する」態様は前者の「設定された充電条件に従った形態の電力に変換して充電すべき対象バッテリに供給する」に相当し，
　・後者の「電源回路１０及び充電制御回路２０」は前者の「充電電力供給手段」に相当し，
　・後者の「代表的な複数の充電式電池の充電特性のパターンに関するパラメータ（例えば，充電電圧，充電電流および充電時間など）を記憶した」態様と前者の「対象バッテリに対応した充電条件に関する充電情報を記憶した」態様とは，「対象バッテリの充電条件に関する充電情報を記憶した」との概念において共通し，
　・後者の「ＲＡＭ３３，ＲＯＭ３４及び外部ＲＯＭ３４ａ」は前者の「充電情報記憶手段」に相当し，
　・後者の「ＲＡＭ３３，ＲＯＭ３４及び外部ＲＯＭ３４ａに記憶されているパラメータを選択」する態様は前者の「充電情報記憶手段に記憶されている充電情報を読み出す」態様に相当し，後者の「このパラメータに従って充電制御回路２０に充電の指示を行う」態様は前者の「読み出された充電情報に従って充電電力供給手段に充電条件を設定する」態様に相当し，後者の「ＣＰＵ３１」は前者の「充電情報読出し手段」及び「制御手段」に相当するから，後者の「ＲＡＭ３３，ＲＯＭ３４及び外部ＲＯＭ３４ａに記憶されている充電特性を選択し，この充電特性に従って前記充電制御回路２０に充電の指示を行うＣＰＵ３１」は，前者の「充電情報記憶手段に記憶されている前記充電情報を読み出す充電情報読出し手段と，該充電情報読出し手段によって読み出された前記充電情報に従って前記充電電力供給手段に前記充電条件を設定する制御手段」に相当し，
　・後者の「充電器１」は前者の「充電器」に相当し，
　・後者の「充電器１内に配設され」る態様は前者の「充電器本体内に配設され」る態様に相当し，
　・後者の「外部ＲＯＭ３４ａは，充電器１に接続可能に構成され」る態様と前者の「充電情報記憶手段は，充電器本体に着脱自在に装着可能な形態に構成され」る態様とは，「充電情報記憶手段は，充電器本体に装着可能な形態に構成され」るとの概念において共通し，
　・後者の「外部ＲＯＭ３４ａ」に記憶された情報を読み出すためには，外部ＲＯＭ３４ａが充電器１に接続された状態である必要があることは自明であるから，後者の「ＣＰＵ３１は，ＲＡＭ３３，ＲＯＭ３４及び外部ＲＯＭ３４ａに記憶されている複数の充電特性のうち，Ｉ／Ｏポート３２を通じて指定された前記充電特性を読み出す」態様と前者の「充電情報読出し手段は，充電器本体に充電情報記憶手段が装着された状態で・・・充電情報を前記充電情報記憶手段から読み出す」態様とは，「充電情報読出し手段は，充電器本体に充電情報記憶手段が装着された状態で，充電情報を前記充電情報記憶手段から読み出す」との概念において共通している。
　
　してみると，両発明の一致点及び相違点は以下のとおりである。
　
［一致点］
「外部から供給される電力を，設定された充電条件に従った形態の電力に変換して充電すべき対象バッテリに供給する充電電力供給手段と，
　前記対象バッテリの充電条件に関する充電情報を記憶した充電情報記憶手段と，
　該充電情報記憶手段に記憶されている前記充電情報を読み出す充電情報読出し手段と，
　該充電情報読出し手段によって読み出された前記充電情報に従って前記充電電力供給手段に前記充電条件を設定する制御手段とを具えた充電器であって，
　前記充電電力供給手段，前記充電情報読出し手段および前記制御手段は，充電器本体内に配設され，前記充電情報記憶手段は，前記充電器本体に装着可能な形態に構成されており，
　前記充電情報読出し手段は，前記充電器本体に前記充電情報記憶手段が装着された状態で，前記充電情報を前記充電情報記憶手段から読み出す充電器」
　
［相違点１］
　「充電情報記憶手段」が「対象バッテリの充電条件に関する充電情報を記憶」することに関し，本願発明では「対象バッテリに対応した充電条件に関する充電情報を記憶」しているのに対して，引用発明では「複数の充電式電池の充電特性のパターンに関するパラメータ（例えば，充電電圧，充電電流および充電時間など）」を記憶している点。
　
［相違点２］
　「充電情報記憶手段」が「充電器本体に装着可能な形態に構成され」ていることに関し，本願発明では「充電器本体に着脱自在に装着可能な形態に構成されて」いるのに対して，引用発明では「ＲＡＭ３３及びＲＯＭ３４は，充電器１内に配設され」，「外部ＲＯＭ３４ａは，充電器１に接続可能に構成されている」点。
　
［相違点３］
　「充電情報読出し手段」が，「充電器本体に充電情報記憶手段が装着された状態で，充電情報を前記充電情報記憶手段から読み出す」ことに関し，本願発明では，充電情報が対象バッテリに対応していることを前提に「充電情報を充電情報記憶手段から読み出す」と特定されているのに対して，引用発明では「ＲＡＭ３３，ＲＯＭ３４及び外部ＲＯＭ３４ａに記憶されている複数の充電特性のうち，Ｉ／Ｏポート３２を通じて指定された充電特性を読み出す」と特定されている点。 
 　
［相違点４］
　「充電情報を充電情報読出し手段から読み出す」タイミングに関し，本願発明では「充電器本体が外部電源に接続され，該充電器本体のコネクタに対象バッテリが接続されると」読み出されると特定されているのに対して，引用発明ではこのような特定がなされていない点。
　
５．判断　
　上記各相違点について以下に検討する。
　
（１）［相違点１］［相違点２］について
　当審における拒絶の理由に引用した
　　特開平８−１９１８７号公報（以下，「引用例２」という。）
の段落【００６４】−【００６９】には，電池情報を記憶した交換可能（本願発明の「着脱自在」に相当。）なメモリカードを充電装置に接続する技術が開示されている（特に，段落【００６４】の「メモリカード４４は・・・充電装置に接続される。」との記載及び段落【００６８】の「・・・メモリカードを交換することにより・・・」との記載を参照）。 
　また，充電器の技術分野において，充電対象となる個々のバッテリに対応させて充電情報をメモリに記憶させるという技術は，当審における拒絶の理由においても引用した，例えば
　・特開２００１−３５９２４５号公報 （以下，「引用例３」という。）
　・特開平６−２１７４６８号公報 （以下，「引用例４」という。）
　・実願平１−１４７５４３号（実開平３−８６７４６号）のマイクロフィ
　　ルム（以下，「引用例５」という。）
に開示されるように周知技術である（以下，「周知技術１」という。引用例３の「メモリ素子２０４」，引用例４の「充電特性データメモリｂ」及び引用例５の「記憶素子３０」を参照）。 
　さらに，引用例１の段落【０００８】の記載から，引用発明の「外部ＲＯＭ３４ａ」は，「ＲＡＭ３３及びＲＯＭ３４」が存在せずとも，単独で充電特性に関する情報を提供できることは明らかである。 
　してみると，引用発明に記載された記録媒体である「外部ＲＯＭ３４ａ」を，引用例２に記載された「メモリカード」に置き換えるとともに，上記周知技術１を適用して，充電対象となる個々のバッテリに対応させた充電情報を当該記録媒体に記憶させることにより，上記相違点１及び２に係る本願発明の構成とすることは，当業者が容易に想到し得た事項である。
　
（２）［相違点３］について
　上記（１）で検討したように，引用発明に記載された記録媒体としての外部ＲＯＭ３４ａを引用例２に記載されたメモリカードに置き換えるとともに，上記周知技術１を適用し，充電対象となる個々のバッテリに対応させた充電情報を記憶させた場合，充電情報は一つとなることから，充電情報の読み出しに当たり，引用発明に記載されるように「Ｉ／Ｏポート３２を通じて指定」する必要がなくなることは自明である。 
　
（３）［相違点４］について
　充電器の技術分野において，バッテリが接続されたことを確認してからメモリに記憶された情報を読み出し，充電を行う技術は，上述の引用例３〜５に開示されるように周知技術である（以下，「周知技術２」という。引用例３の段落【００１６】の「充電器１０１に二次電池ユニット２０１が充電可能な状態に配置されると・・・メモリ素子２０４から，当該二次電池ユニットの充電時の充電パターンを読み出す。読み出された充電パターンに従って・・・充電操作を開始・・・」との記載，引用例４の段落【００２３】の「まず・・・充電特性データメモリｂにより充電電圧，充電電流，温度データ等の参照値データを充電装置部２２の充電制御回路ｃに送る。・・・その結果からスイッチング回路ｄを制御する。」との記載及び引用例５の明細書第１１頁第１２行目〜第１３頁第４行目の「二次電池２５を充電制御部４０に接続すると・・・記憶素子３０から記憶されている二次電池２５の・・・電池特性等の情報がマイクロコンピュータ２６に出力される。・・・マイクロコンピュータ２６は・・・充電電圧値を設定する。そして，この設定に基づいて・・・充電が開始される。」との記載を参照）。 
　また，充電器の技術分野において，そのプロセッサを充電器が外部電源に接続された時だけ動作させることは，周知慣用技術である（必要ならば，引用例３の段落【０００９】の「レギュレータ１０５は，一般の家庭用ＡＣ電源からの入力を基にマイクロプロセッサ１０５（当審注：「１０４」と記載すべきところの誤記と認められる。）へ動作電圧を供給する。」との記載及び引用例５の第１図の「直流電源１１」と「マイクロコンピュータ２６」との接続関係に関するを参照）。 
　してみると，引用発明に記載された「ＣＰＵ３１」による充電情報の読み出しに当たり，上記周知技術２及び上記周知慣用技術を適用して，上記相違点４に係る本願発明の構成とすることは，当業者が容易に想到し得た事項である。 
　
　また，本願発明の全体構成により奏される作用・効果は，引用発明，引用例２に開示された技術的事項，上記周知技術１及び２，並びに上記周知慣用技術から当業者が予測できた範囲内のものである。
　
６．むすび
　以上のとおり，本願発明は，引用発明，引用例２に開示された技術的事項，上記周知技術１及び２，並びに，上記周知慣用技術に基づいて，当業者が容易に発明をすることができたものであるから，特許法第２９条第２項の規定により特許を受けることができない。
　したがって，その余の請求項について論及するまでもなく，本願は拒絶すべきものである。
　よって，結論のとおり審決する。